(57)【特許請求の範囲】
【請求項１】
床面に固定されるねじベース（１）と、該ねじベース（１）のねじ軸（８）にねじ込み固定されるボス体（２）と、該ボス体（２）に着脱可能に係合装着されるストッパー本体（３）とを備えており、
前記ねじベース（１）は四角形状のベース座（７・３６）と前記ねじ軸（８）とを備えており、
前記ボス体（２）には前記ねじ軸（８）に対応するねじ穴（１５）と、前記ストッパー本体（３）を係合装着するための係合溝（１６）とが形成されており、
前記ストッパー本体（３）は、ゴム成型品からなる外装体（４）と、木材またはプラスチック材で形成されて該外装体（４）に装着される化粧キャップ（５）と、開放操作されたドアパネル（Ｐ）と正対する該化粧キャップ（５）の周面に固定されたゴム製の緩衝体（２８）とで構成されており、
前記外装体（４）には、前記ボス体（２）に外嵌する装着穴（２１）と、該装着穴（２１）の内周面に形成されて前記係合溝（１６）と係合するリブ体（２２）と、該装着穴（２１）の開口内面に設けられて前記ベース座（７・３６）と係合する位置決め穴（２３）とが設けられており、
前記外装体（４）に前記化粧キャップ（５）を装着した状態では、該化粧キャップ（５）の下面が床面に接当して、該化粧キャップ（５）が前記ねじベース（１）、前記ボス体（２）および前記外装体（４）の外面を覆うように構成されていることを特徴とするドアストッパー。
【請求項２】
前記ストッパー本体（３）が、前記化粧キャップ（５）と有底筒状の前記外装体（４）とを接着剤で一体化して構成されており、
前記化粧キャップ（５）と前記外装体（４）とが、前記ボス体（２）に対して同時に着脱可能に構成されている請求項１に記載のドアストッパー。
【請求項３】
前記ボス体（２）の前記係合溝（１６）の上方に上軸部（１８）が形成され、該係合溝（１６）の下方に下軸部（１９）が形成されており、
前記外装体（４）を前記ボス体（２）に装着した状態において、前記リブ体（２２）の上下に位置する前記装着穴（２１）の内周面が前記上軸部（１８）と前記下軸部（１９）とで受止められるように構成されている請求項１または２に記載のドアストッパー。
【請求項４】
前記外装体（４）の開口外縁に円形のフランジ壁（２４）が張出し形成されており、
前記外装体（４）の筒壁と前記化粧キャップ（５）の内面の間に、前記上軸部（１８）に受止められた前記リブ体（２２）が外膨らみ状に膨出変形するのを許す隙間（Ｅ１）が設けられている請求項３に記載のドアストッパー。
【請求項５】
前記ベース座（７）の中央にかしめ座（１０）が形成されており、前記ねじ軸（８）の下端に設けたかしめ軸部（１２）が該かしめ座（１０）にかしめ固定されており、
前記ベース座（７）が複数のビス（１３）で床面に締結固定されるように構成されている請求項１から４のいずれかひとつに記載のドアストッパー。
【請求項６】
前記ねじベース（１）が、前記ねじ軸（８）を備えたアンカーボルト（３５）と、該ねじ軸（８）に挿通される四角形状のベース座（３６）とで構成されており、
前記ベース座（３６）が前記ねじ軸（８）にねじ込み固定した前記ボス体（２）で床面に固定されるように構成されている請求項１から４のいずれかひとつに記載のドアストッパー。  
【発明の詳細な説明】
【技術分野】
【０００１】
本発明は、開放操作したドアやドアノブが壁面に衝突するのを防止するドアストッパーに関する。
【背景技術】
【０００２】
本発明のドアストッパーに関して、本出願人は特許文献１のドアストッパーを先に提案している。そこでは、床や壁などに固定されるストッパー本体と、ストッパー本体に着脱自在に装着されるくさび体でドアストッパーを構成している。ゴム成型品からなるストッパー本体の内部にはベース金具が埋設固定してあり、同金具の中央にはねじ穴が上下貫通状に形成してある。床面に固定したアンカーボルトにベース金具をねじ込むことにより、ドアストッパーを床面に固定できる。
【０００３】
本発明においては、例えば木質の床面にビスで締結固定されるベース体と、ベース体にねじ込み装着されるアダプターと、アダプターに着脱されるストッパー本体でドアストッパーを構成するが、このように３個のパーツで構成したドアストッパーは、本出願人の提案に係る特許文献２に公知である。そこでは、ベース体と、ストッパー本体と、ストッパー本体の内部に装着されるアダプターでドアストッパーを構成している。ベース体は、円板状の座部と座部の中央に設けたねじ部を一体に備えている。ストッパー本体はゴム成型品からなり、アダプターは硬質樹脂あるいは金属で形成されて、その中心部にねじ穴が非貫通状に形成してある。ストッパー本体の内面にはリング状のリブが設けてあり、アダプターの周面には周回溝が形成してあって、リブを周回溝に係合することによりストッパー本体をアダプターと一体化している。
【０００４】
特許文献３には、弾性を有する樹脂成型品からなる直方体状の当接部と、金属製の設置部とで構成した戸当り（ドアストッパー）が開示してある。戸当りを床面に固定するには、何らかの締結具を使用する必用があるので、特許文献３の戸当りも３個のパーツで構成したドアストッパーと言うことができる。設置部は四角形状の座板部と、四角筒状の筒壁部を備えている。当接部の内面に設けた突起を、筒壁部の周面に設けた溝に係合することにより、当接部と設置部が一体化されており、この状態において設置部の座板部の周面は当接部の下部に露出している。
【０００５】
同様の戸当り（ドアストッパー）は特許文献４にも見ることができる。そこでは、直方体状の戸当り本体と、床座プレートと、これら両者の間に挟持される緩衝体で戸当りを構成している。床座プレートは四角形状のビス座と、ビス座の上面に設けた階段状のブラケット部を一体に備えている。使用時には、床座プレートを木質の床面に３個のビスで締結し、戸当り本体をブラケット部に係合したのち、両者を戸当り本体の正面側からブラケット部にねじ込んだビスで締結する。戸当り本体の上面には止めリングが傾倒自在に支持してあり、同リングをドアに固定した受座に掛止めることにより、ドアを開放位置に位置保持することができる。
【先行技術文献】
【特許文献】
【０００６】
【特許文献１】特許第５４４１２６３号公報（段落番号００２７、図９）
【特許文献２】意匠登録第１４０５６８０号公報（取付け方法を示す参考図）
【特許文献３】意匠登録第１４８３６５８号公報（正面中央縦拡大参考断面図）
【特許文献４】意匠登録第１５１７６３２号公報（使用状態を示す参考図）
【発明の概要】
【発明が解決しようとする課題】
【０００７】
特許文献１のドアストッパーは、ストッパー本体の内部に埋設固定したベース金具をアンカーボルトにねじ込んでドアストッパーを床面に固定する。そのため、ストッパー本体が直方体、楕円形などの非円形に形成してある場合や、円柱状のドアストッパーの周面の一部にドアを受止める接当部が設けてある場合などに、床面に固定したドアストッパーの姿勢を好適化できないことがある。ベース金具をアンカーボルトに最後までねじ込んだ時のドアストッパーの姿勢は、アンカーボルトに対するベース金具のねじ込み状況に左右され、ドアストッパーの姿勢を常に一定にすることはできないからである。
【０００８】
その点、特許文献２のドアストッパーは、ストッパー本体が十角柱の上部が半球状に窄まった形状に形成してあるので、ストッパー本体をアダプターにねじ込んだときの姿勢に多少のばらつきがあったとしても問題なく使用できる。また、ストッパー本体をアダプターに装着した状態では、硬質樹脂あるいは金属で形成したアダプターの外面全体がストッパー本体で覆われるので、ドアストッパーの外観をすっきりした印象にすることができる。しかし、ストッパー本体をゴム成型品で形成するので、ドアストッパーの色や形を変化させてシリーズ商品化したとしても均一の質感しか発揮できず、興趣に富む商品シリーズを展開しにくい点に難がある。
【０００９】
特許文献３の戸当りは、金属製の設置部が四角形状の座板部と、四角筒状の筒壁部で構成してある。そのため、当接部を例えば円柱状に形成したい場合に対応できにくい。仮に当接部を円柱状に形成した場合には、四角形の座板部の四隅が当接部の外へはみ出てしまう。これを避けるには、当接部の直径を座板部の対角寸法以上にする必要があり、当接部が異常に大きなものとなってしまうからである。また、当接部が直方体状に形成されており、使用状態において設置部の座板部の周面が当接部の下部に露出している。そのため、誤って蹴躓いたような場合に怪我するおそれがある。
【００１０】
特許文献４の戸当りは、戸当り本体の正面側から床座プレートのブラケット部にビスをねじ込んで戸当り本体を固定するので、ビスの操作頭部が戸当り本体の正面に露出するのを避けられない。そのため、いたずらを受けて戸当り本体が取外されるおそれがある。また、特許文献３の戸当りと同様に、床面に固定した戸当り本体に誤って蹴躓くおそれがある。
【００１１】
以上のように、従来のドアストッパーは、床面に固定したドアストッパーの姿勢を好適化できないこと、興趣に富む多様化された商品シリーズを展開しにくいこと、いたずら対策や安全性が充分に考慮されていないことなどの点で改善すべき余地があった。また、殆んどの場合には、所定の位置にドアストッパーを設置したのちは、例えばストッパー本体が損耗し劣化するまで設置当初の状態のままで使用し続けるため、飽きやすく、新鮮な印象や目新しい印象を発露させることが困難であった。さらに、飽きがきたドアストッパーを交換する場合には、ストッパー本体とアダプターとベース体の全てを交換する必要があり、交換コストが嵩む点と、ドアストッパーを交換するごとに、木質の床面にベース体を新たに締結する必要があり、床面が傷む点に問題があった。
【００１２】
本発明者等は上記のような問題点を検討し、一般住宅、オフィスビル、店舗、ホテル、公共施設等におけるドアストッパーはどうあるべきかを追求した結果、本発明を提案するに至ったものである。
本発明の目的は、季節の変化や屋内の調度の変更等に応じてストッパー本体を手軽に交換して、見る人に新鮮な印象や目新しい印象を与えることができ、しかも、ストッパー本体以外の部品は引き続き使用できるようにして、交換コストを削減し、床面の傷つきを最小限化できるドアストッパーを提供することにある。
本発明の目的は、木質の床面に対応するドアストッパーと、コンクリート床面に対応するドアストッパーで、より多くの部品を共用して製造コストや管理コストを削減できるドアストッパーを提供することにある。
【課題を解決するための手段】
【００１３】
本発明に係るドアストッパーは、床面に固定されるねじベース１と、ねじベース１のねじ軸８にねじ込み固定されるボス体２と、ボス体２に着脱可能に係合装着されるストッパー本体３とを備えている。ねじベース１は四角形状のベース座７・３６とねじ軸８とを備えている。ボス体２にはねじ軸８に対応するねじ穴１５と、ストッパー本体３を係合装着するための係合溝１６とが形成されている。ストッパー本体３は、ゴム成型品からなる外装体４と、木材またはプラスチック材で形成されて外装体４に装着される化粧キャップ５と、開放操作されたドアパネルＰと正対する化粧キャップ５の周面に固定されたゴム製の緩衝体２８とで構成されている。外装体４には、ボス体２に外嵌する装着穴２１と、装着穴２１の内周面に形成されて係合溝１６と係合するリブ体２２と、装着穴２１の開口内面に設けられてベース座７・３６と係合する位置決め穴２３が設けられている。外装体４に化粧キャップ５を装着した状態では、化粧キャップ５の下面が床面に接当して、化粧キャップ５がねじベース１、ボス体２および外装体４の外面を覆うように構成されていることを特徴とする。
【００１５】
ストッパー本体３は、化粧キャップ５と有底筒状の外装体４を接着剤で一体化して構成する。化粧キャップ５と外装体４は、ボス体２に対して同時に着脱可能である。
【００１６】
ボス体２の係合溝１６の上方に上軸部１８を形成し、該係合溝１６の下方に下軸部１９を形成する。外装体４をボス体２に装着した状態において、リブ体２２の上下に位置する装着穴２１の内周面を上軸部１８と下軸部１９で受止める。
【００１７】
外装体４の開口外縁に円形のフランジ壁２４を張出し形成する。外装体４の筒壁と化粧キャップ５の内面の間に、上軸部１８に受止められたリブ体２２が外膨らみ状に膨出変形するのを許す隙間Ｅ１を設ける（図５参照）。
【００１８】
ベース座７の中央にかしめ座１０を形成し、ねじ軸８の下端に設けたかしめ軸部１２をかしめ座１０にかしめ固定する。ベース座７が複数のビス１３で床面に締結固定されるように構成する。
【００１９】
ねじベース１は、ねじ軸８を備えたアンカーボルト３５と、ねじ軸８に挿通される四角形状のベース座３６で構成する。ベース座３６がねじ軸８にねじ込み固定したボス体２で床面に固定されるように構成する（図７参照）。
【発明の効果】
【００２２】
本発明においては、床面に固定されるねじベース１と、ねじベース１のねじ軸８にねじ込み固定されるボス体２と、ボス体２に装着されるストッパー本体３でドアストッパーを構成し、ねじ軸８に固定したボス体２に対して、ストッパー本体３を着脱可能に係合装着できるようにした。また、ストッパー本体３を着脱可能に係合装着するために、ボス体２にストッパー本体３を係合装着するための係合溝１６を形成した。さらに、ストッパー本体３はゴム成型品からなる外装体４を含んで構成し、外装体４に、装着穴２１と、係合溝１６と係合するリブ体２２と、位置決め穴２３を設けるようにした。
【００２３】
上記のように構成したドアストッパーによれば、ストッパー本体３をボス体２に装着した状態において、ねじベース１のベース座７・３６とボス体２をストッパー本体３で覆い隠して、ドアストッパーの外観の印象をすっきりとしたものにできる。また、ストッパー本体３をボス体２に対して着脱可能に係合装着できるので、色合いや外観形状、あるいは質感が異なる複数個のストッパー本体３を用意しておくことにより、季節の変化や屋内の調度の変更等に応じて、ストッパー本体３を自由に交換して、ドアストッパーの外観の印象を変更できる。ストッパー本体３の交換を行う場合には工事を行う必要がなく、より少ない手間でユーザー自身が手軽に行えるので、必要に応じてストッパー本体３を交換することにより、見る人に新鮮な印象や目新しい印象を与えることができる。さらにストッパー本体３を交換する場合には、ねじベース１やボス体２などのストッパー本体３以外の部品をそのまま使用できるので、ドアストッパーの交換に要するコストを削減できる。ねじベース１が木質の床面に締結固定してある場合には、床面の傷つきを最小限化できる利点がある。
【００２４】
外装体４と、化粧キャップ５と、化粧キャップ５の周面に固定したゴム製の緩衝体２８でストッパー本体３を構成し、化粧キャップ５を木材またはプラスチック材で形成すると、色合いや外観形状、あるいは質感の違いの組み合わせで、多様なドアストッパーを提供できるので、興趣に富む商品シリーズを展開することができる。こうしたドアストッパーによれば、ユーザーは床面の状況や、ドアパネルＰの周囲の調度などに応じて、好みのドアストッパーを商品シリーズから選定できるので、選定の自由度を拡大できる。また、季節の変化や屋内の調度の変更等に応じてドアストッパーを交換することにより、ドア周りの雰囲気や印象を目新しいものにすることができる。また、化粧キャップ５を外装体４に装着した状態では、化粧キャップ５がねじベース１、ボス体２および外装体４の外面を覆って床面に接当するので、誤って化粧キャップ５に蹴躓くことがあったとしても、怪我をすることがなく安全性を向上できる。ゴム製の緩衝体２８は、ドアパネルＰが衝突するとき弾性変形して、衝撃を緩和吸収する。また、化粧キャップ５が装着された外装体４も、その一部が弾性変形してドアパネルＰの衝突衝撃を緩和することに役立つ。従って、ドアパネルＰがドアストッパーに衝突しても大きな衝突音が発生することはなく、ドアパネルＰまたはドアストッパーが傷むこともない。
【００２５】
化粧キャップ５と有底筒状の外装体４を接着剤で一体化して構成したストッパー本体３によれば、施工現場において各部材４・５を組付ける手間を省くことができ、さらに、外装体４と化粧キャップ５を組間違うおそれもない。また、化粧キャップ５と外装体４を、ボス体２に対して同時に着脱できるので、施工時または交換時の手間を省くことができるうえ、外装体４および化粧キャップ５をボス体２に適正に装着できる。ドアパネルＰが衝突するとき緩衝体２８は弾性変形して衝撃を緩和する。また、化粧キャップ５と一体化された外装体４も、その一部が弾性変形してドアパネルＰの衝突衝撃を緩和する。従って、緩衝体２８の衝撃吸収作用と、外装体４の衝撃吸収作用によってドアパネルＰの衝突衝撃を効果的に吸収することができる。
【００２６】
外装体４をボス体２に装着した状態において、外装体４の装着穴２１の内周面を、ボス体２の上軸部１８と下軸部１９で受止めると、ゴム製の外装体４を金属製のボス体２でバックアップして、外装体４およびストッパー本体３の姿勢を常に適正な状態に保持できる。従って、ドアパネルＰが衝突してストッパー本体３に衝突衝撃が作用する場合であっても、衝撃をボス体２とねじベース１を介して床面に伝えて逃がすことができ、さらに外装体４が弾性変形して衝突衝撃を緩和し、吸収することができる。
【００２７】
外装体４の筒壁と化粧キャップ５の内面の間に、リブ体２２が外膨らみ状に膨出変形するのを許す隙間Ｅ１を設けると、ストッパー本体３をボス体２に着脱するとき、外装体４および化粧キャップ５をより少ない手間で簡便に着脱できる。因みに、隙間Ｅ１がない場合には、リブ体２２が形成された外装体４の筒壁部分を、リブ体２２が形成されていない筒壁部分の厚みにまで圧縮変形させる必要があるので、着脱のための治具や工具を使用してストッパー本体３を着脱しなければならず、その手間が煩わしく手軽にストッパー本体３を交換できない。また、木工品からなる化粧キャップ５が経年変化で収縮変形した場合でも、収縮変形を隙間Ｅ１で吸収できるので、化粧キャップ５が割れるのを回避できる。さらに、ボス体２にストッパー本体３を着脱する際に発生する外装体４の弾性変形を隙間Ｅ１で吸収できるので、化粧キャップ５の割れを解消しながら、ボス体２に対するストッパー本体３の着脱を確実にしかも簡便に行える。
【００２８】
ベース座７とかしめ軸部１２を備えたねじ軸８でねじベース１を構成し、かしめ軸部１２をベース座７にかしめ固定すると、旋削品やダイキャスト成形品でねじベース１を形成する場合に比べて、ねじベース１を低コストで形成できる。また、ベース座７を複数のビス１３で木質の床面に締結固定するので、特殊な工具等を使用する必要もなく、ねじベース１を木質の床面に対して簡単に締結固定できる。
【００２９】
コンクリート床面にねじベース１を固定する場合には、アンカーボルト３５を床面に形成したアンカー穴に固定したのち、ベース座３６をねじ軸８に挿通し、さらにボス体２をねじ軸８にねじ込んで、ベース座３６を床面に固定する。このとき、四角形状のベース座３６の姿勢をドアパネルＰの開放姿勢との関係で調整する。ドアストッパーの設置すべき姿勢は、床面に固定したベース座３６によって決定されるので、あとは緩衝体２８の向きを考慮しながらストッパー本体３をボス体２に装着するだけで、ドアストッパーを適正に設置できる。
【図面の簡単な説明】
【００３２】
【図１】実施例１に係るドアストッパーの分解斜視図である。
【図２】実施例１に係るドアストッパーの使用例を示す斜視図である。
【図３】実施例１に係るねじベースおよびボス体の分解斜視図である。
【図４】実施例１に係るストッパー本体の分解斜視図である。
【図５】実施例１に係るドアストッパーの縦断側面図である。
【図６】図５におけるＡ−Ａ線断面図である。
【図７】実施例２に係るねじベースおよびボス体を示す断面図である。
【図８】実施例２に係るねじベースおよびボス体の分解斜視図である。
【図９】実施例３に係るストッパー本体の分解斜視図である。
【図１０】実施例３に係るストッパー本体の縦断側面図である。
【図１１】実施例４に係るストッパー本体の分解斜視図である。
【図１２】実施例５に係るストッパー本体の分解斜視図である。
【図１３】実施例６に係るドアストッパーの分解斜視図である。
【図１４】実施例６に係るドアストッパーの縦断側面図である。
【図１５】図１４におけるＢ−Ｂ線断面図である。
【図１６】実施例７に係る外装体の斜視図である。
【図１７】実施例７に係るドアストッパーの横断平面図である。
【図１８】参考例１に係るドアストッパーの断面図である。
【図１９】図１８におけるＣ−Ｃ線断面図である。
【図２０】参考例２に係るドアストッパーの使用例を示す斜視図である。
【図２１】参考例２に係るドアストッパーの横断平面図である。
【発明を実施するための形態】
【００３３】
（実施例１）  図１ないし図６は、本発明に係るドアストッパーの実施例１を示している。本発明における前後・左右・上下とは、図１に示す交差矢印と、各矢印の近傍に付記した前後・左右・上下の表記に従うものとする。図１においてドアストッパーは、木質の床面に固定されるねじベース１と、ねじベース１のねじ軸８にねじ込み固定される丸軸状のボス体２と、ボス体２に着脱可能に装着されるストッパー本体３で構成する。この実施例では、ストッパー本体３をボス体２に着脱される外装体４と、外装体４の外面を覆う化粧キャップ５と、後述する緩衝体２８で構成した。
【００３４】
図３において、ねじベース１は鋼板製で四隅が丸められた四角形状のベース座７と、ベース座７に固定したねじ軸８で構成する。ベース座７の四隅にはビス座９が形成され、ベース座７の中央には上すぼまり状のかしめ座１０が形成してある。また、ベース座７の上面には十文字状の浅いＶ字溝からなる位置決め指標１１が凹み形成してある。ねじ軸８の下端には同軸８より小径のかしめ軸部１２が形成してあり、図５に示すようにかしめ軸部１２を、かしめ座１０の内部で上すぼまりテーパー状に塑性変形させることにより、ねじ軸８をベース座７と一体化している。ねじベース１は、位置決め指標１１を利用して位置決めした状態で、木質の床面に４個のビス１３で締結固定される。
【００３５】
ボス体２は、快削鋼材に旋削加工を施したうえでメッキ処理して形成してあり、その中央に先のねじ軸８に対応するねじ穴１５が上下貫通状に形成してある。また、ボス体２の周面には、外装体４を係合装着するための係合溝（ボス側係合部）１６が周回状に形成され、係合溝１６の上部に外装体４の分離を阻む抜止段部１７が設けてある（図３参照）。さらに係合溝１６の上下には、同径で同大の上軸部１８と下軸部１９が上下対称に形成してある。
【００３６】
図４において外装体４は、有底筒状のゴム成型品からなり、筒壁の内部に断面が円形の装着穴２１を有し、装着穴２１の内周面の上下中途部に、先の係合溝１６に係合する４個のリブ体（外装体側係合部）２２が一体に形成してある。また、装着穴２１の開口内面にはベース座７と係合する四角形状の位置決め穴２３が形成してあり、外装体４の開口外縁には円形のフランジ壁２４が張出し形成してある。装着穴２１の直径と、位置決め穴２３の各辺部の長さは一致している。
【００３７】
化粧キャップ５は直方体状の木工品からなり、その内部に断面円形の装着穴２７が形成され、周側面のひとつの上部に３個の緩衝体２８が直線列状に固定してある。緩衝体２８は丸軸状の軸部２９と、軸部２９より大径の接当部３０を一体に備えたゴム成型品からなり、軸部２９を装着穴３１に係合することにより化粧キャップ５と一体化してある（図５参照）。接当部３０には、軸部２９の基端部の周囲を囲む弾性壁３２が形成してあり、弾性壁３２の端部が化粧キャップ５の周側面で受止められている。
【００３８】
ストッパー本体３を構成する外装体４と化粧キャップ５と緩衝体２８は、一体化された状態で販売に供される。詳しくは、装着穴２７がフランジ壁２４に係合する状態で、化粧キャップ５と外装体４を接着固定しており、同様に緩衝体２８の軸部２９は装着穴３１に接着固定してある。この状態のストッパー本体３は、外装体４の上壁が装着穴２７の上壁に接着固定されており、外装体４の筒壁と化粧キャップ５の内面の間には隙間Ｅ１が設けてある（図５参照）。その意味は後述する。化粧キャップ５は、色合いが異なる木材で複数種用意してあるので、ユーザーはドアストッパーの設置床面の色合いや、設置場所の雰囲気などに応じて、気に入った色合いの化粧キャップ５を備えたストッパー本体３を選定できる。
【００３９】
ドアストッパーは木質の床面に対して、例えば以下の手順で施工する。まず、図２に示すようにドアパネルＰを開放操作してドアストッパーの設置位置と設置すべき姿勢を決め、決定した位置の床面に位置印を形成する。位置印を基準にして、位置決め指標１１でねじベース１のベース座７の位置および姿勢を確認しながら位置決めし、４個のビス１３を床面にねじ込んでねじベース１を床面に締結固定する。この時点で位置印は雑巾などで拭取って消しておく。次に、ボス体２をねじ軸８にねじ込んで、下軸部１９の下面がベース座７に密着する状態で、ボス体２をねじベース１に固定する。最後に、ストッパー本体３をボス体２に装着して、外装体４のリブ体２２を係合溝１６および抜止段部１７に落込み係合させる。このとき、緩衝体２８が開放されたドアパネルＰと正対するように、位置決め穴２３をベース座７に係合する。外装体４をボス体２に係合装着した状態では、化粧キャップ５の下面が床面に接当して、金属製のねじベース１とボス体２、および外装体４の外面を覆っている。
【００４０】
開放操作したドアパネルＰを緩衝体２８で受止めるとき、弾性壁３２が押し潰されるように弾性変形してドアパネルＰの衝突衝撃を吸収する。弾性壁３２は、ドアパネルＰが緩衝体２８から分離するのと同時に弾性変形する前の状態に復帰する。緩衝体２８が受止めた衝撃は、化粧キャップ５の接着部分を介して外装体４にも作用して、外装体４の一部が弾性変形することで衝撃力を吸収する。そのため、緩衝体２８の衝撃吸収作用と、外装体４の衝撃吸収作用によってドアパネルＰの衝突衝撃を吸収することができる。従って、ドアパネルＰがドアストッパーに衝突しても大きな衝突音が発生することはなく、ドアパネルＰまたはドアストッパーが傷むこともない。
【００４１】
ストッパー本体３を交換する場合には、化粧キャップ５を傾動させて、同キャップ５の下面と床面の間に隙間を形成し、隙間に差込んだマイナスドライバーを梃子にして、化粧キャップ５を押上げ操作し、リブ体２２を弾性変形させながら抜止段部１７から分離する。全てのリブ体２２が抜止段部１７から分離して上軸部１８に受止められた状態で、化粧キャップ５を上向きに引っ張ることにより、ストッパー本体３をボス体２から取外すことができる。リブ体２２が弾性変形して上軸部１８に受止められた状態では、外装体４の筒壁が外膨らみ状に膨出するが、この膨出変形を許してストッパー本体３の取外しを容易化するために、外装体４の筒壁と化粧キャップ５の内面の間に隙間Ｅ１を設けている。最後に、新たなストッパー本体３をボス体２に装着して、先に説明した要領でリブ体２２を係合溝１６および抜止段部１７に落込み係合させて、緩衝体２８を開放されたドアパネルＰと正対させる。隙間Ｅ１を設けておくことにより、木工品からなる化粧キャップ５が経年変化で収縮変形した場合でも、収縮変形を隙間Ｅ１で吸収できるので、化粧キャップ５が割れるのを回避できる。
【００４２】
複数個のストッパー本体３を購入しておくと、季節の変化や屋内の調度の変更等に応じて、ストッパー本体３を自由に交換できる。また、ストッパー本体３の交換は、多くの手間をかける必要もなくユーザー自身で手軽に行えるので、必要に応じてストッパー本体３を交換することにより、見る人に新鮮な印象や目新しい印象を与えることができる。ストッパー本体３を交換する場合には、ストッパー本体３以外の部品をそのまま使用できるので、交換のためのコストを削減し、床面がさらに傷付けられることもない。実施例１ではストッパー本体３を、外装体４、化粧キャップ５および緩衝体２８で構成し、これら３者を接着剤で一体化した状態で供給するので、各部材を組付ける手間を省くことができるうえ、外装体４と化粧キャップ５を組間違うおそれがない。設置した状態のドアストッパーは、床面に化粧キャップ５と緩衝体２８が露出するだけであるので、誤って化粧キャップ５に蹴躓くことがあったとしても、怪我をすることがなく安全性を向上できる。また、化粧キャップ５に蹴躓いたときの衝撃力は、外装体４の筒壁とフランジ壁２４が弾性変形して緩和吸収されるので、蹴躓きに伴う痛みを軽減できる。
【００４３】
（実施例２）  図７および図８は、本発明に係るドアストッパーをコンクリート床面に固定する場合の実施例２を示している。そこでは、ねじベース１を、ねじ軸８を備えたアンカーボルト３５と、ねじ軸８に挿通される四角形状のベース座３６で構成する。アンカーボルト３５は市販品であり、ねじ軸８は実施例１のねじ軸８と同じ呼び径でねじピッチも同じである。アンカーボルト３５のアンカー軸部３７はコンクリート床面に設けたアンカー穴に固定されている。ベース座３６は、実施例１で説明したベース座７の抜型を利用して打ち抜き形成してあり、その中央にはねじ軸８用の挿通穴３８が形成してある。ドアストッパーの他の構成部品は、実施例１で説明した構成部品と同じである。
【００４４】
図７に示すように、床面に固定されたアンカーボルト３５のねじ軸８にベース座３６を挿通して、ベース座３６が床面に接する状態でボス体２をねじ軸８にねじ込むことにより、ベース座３６を床面に固定できる。このとき、ベース座３６の壁に対する角度をドアパネルＰの開放姿勢との関係で調整しておく。つぎに、ストッパー本体３をボス体２に装着して、緩衝体２８が開放されたドアパネルＰと正対するように、位置決め穴２３をベース座３６に係合させて、リブ体２２を係合溝１６に落込み係合させる。他は実施例１と同じであるので、同じ部材に同じ符号を付して、その説明を省略する。以下の実施例においても同じとする。
【００４５】
（実施例３）  図９および図１０は、ドアストッパーの一部を変更した実施例３を示す。そこでは、木工品からなる立方体状の化粧キャップ５の周側壁のひとつを省略し、省略された開口部分を板状の緩衝体２８で塞ぐようにした。外装体４と化粧キャップ５と緩衝体２８の３者は、接着剤で一体に固定されてストッパー本体３を構成する。緩衝体２８の内面の下部には、外装体４のフランジ壁２４の一部を受入れる凹部４１が形成してある。なお隙間Ｅ１は、外装体４の筒壁と化粧キャップ５の装着穴２７との間に限って設けてある。
【００４６】
以上のように、緩衝体２８を板状のゴム成形品で構成すると、ドアパネルＰの衝突衝撃を緩衝体２８の外周面の全体で受止めて、分散された衝撃力を外装体４と化粧キャップ５に伝えることができる。そのため、緩衝体２８が圧縮変形することでドアパネルＰの衝突衝撃を吸収できるうえ、外装体４の一部が弾性変形して衝撃力を吸収できる。従って先の実施例と同様に、ドアパネルＰがドアストッパーに衝突しても大きな衝突音が発生することはなく、ドアパネルＰまたはドアストッパーが傷むこともない。また、誤って化粧キャップ５に蹴躓くことがあったとしても、怪我をすることがなく安全性を向上でき、とくに、緩衝体２８に蹴躓いた場合には、緩衝体２８が弾性変形して衝撃を緩和できるので、さらに安全性を向上できる。加えて、化粧キャップ５に蹴躓いたときの衝撃力は、外装体４の筒壁とフランジ壁２４が弾性変形して緩和吸収されるので、蹴躓きに伴う痛みを軽減できる。
【００４７】
（実施例４）  図１１はドアストッパーの一部を変更した実施例４を示す。そこでは、木工品からなる化粧キャップ５を円筒状に形成し、その筒周壁の一部を省略し、省略された開口部分を板状の緩衝体２８で塞ぐようにした。緩衝体２８の周面は、化粧キャップ５の周面に連続する部分円弧面で形成してある。この実施例においても、外装体４と化粧キャップ５と緩衝体２８の３者を接着剤で一体に固定してストッパー本体３を構成している。
【００４８】
（実施例５）  図１２はドアストッパーの一部を変更した実施例５を示す。そこでは、木工品からなる化粧キャップ５を家形に形成し、その前端に１個の緩衝体２８を固定した。また、ドアパネルＰと床面との隙間が大きい場合に対応できるよう、化粧キャップ５の上下長さを大きくし、さらに緩衝体２８の固定位置を上方へずらすようにした。装着穴２７は、化粧キャップ５の前後中央に形成した。緩衝体２８は、実施例１の緩衝体２８と同様に軸部２９と接当部３０で構成した。この実施例においても、外装体４と化粧キャップ５と緩衝体２８の３者を接着剤で一体に固定してストッパー本体３を構成している。以上の各実施例から理解できるように、緩衝体２８は開放操作されたドアパネルＰと正対する化粧キャップ５の周面に固定してあればよい。
【００４９】
（実施例６）  図１３ないし図１５はドアストッパーの一部を変更した実施例６を示す。そこでは、実施例４と同様に木工品からなる化粧キャップ５を円筒状に形成するが、装着穴２７の中心位置を緩衝体２８の接着面から遠ざかる側へ偏心させて、緩衝体２８の接着面と装着穴２７の間に木質の壁４２を形成するようにした。また、外装体４は基本形状をフランジ壁２４と同じ直径の有底筒状に形成するが、筒壁の外周面の４か所に平坦面４３を形成して、隣接する平坦面４３の間に部分円弧状の係合面４４を設けるようにした。外装体４を化粧キャップ５に接着した状態では、４個の係合面４４とフランジ壁２４の周面が装着穴２７に接着固定されて、平坦面４３と装着穴２７の間に隙間Ｅ１が形成される。この実施例ではリブ体２２を装着穴２１の対向面の２個所に設けて、ストッパー本体３のボス体２に対する着脱を容易に行えるようにした。なお、平坦面４３は少なくとも２個所以上に設けてあればよい。
【００５０】
上記のように、装着穴２７の中心位置を偏心させて、緩衝体２８の接着面と装着穴２７の間に木質の壁４２を形成すると、緩衝体２８に作用する衝撃力を、木質の壁４２を介して化粧キャップ５に直接的にしかも分散した状態で伝えることができる。また、４個の係合面４４を装着穴２７に接着固定することにより、化粧キャップ５と外装体４をより強固に一体化できるので、化粧キャップ５に作用する衝撃力を係合面４４から外装体４の筒壁に伝えて、筒壁が弾性変形することで衝撃力をさらに効果的に緩和吸収できる。さらに、木工品からなる化粧キャップ５が経年変化で収縮変形した場合でも、収縮変形を隙間Ｅ１で吸収できるので、ボス体２に対するストッパー本体３の着脱を確実にしかも簡便に行える。
【００５１】
実施例６に係るドアストッパーは以下の形態で実施することができる。
化粧キャップ５に形成した装着穴２７の中心位置が、化粧キャップ５の中心位置から偏心させてあり、
装着穴２７の偏心方向とは逆側の化粧キャップ５の周面に緩衝体２８が固定されて、緩衝体２８と装着穴２７の間に木質の壁４２が形成されており、
有底筒状に形成した外装体４の筒壁の外周面の複数個所に平坦面４３を形成して、隣接する平坦面４３の間に部分円弧状の係合面４４が設けられており、
外装体４を化粧キャップ５に接着した状態では、複数個の係合面４４が装着穴２７に接着固定されて、平坦面４３と装着穴２７の間に隙間Ｅ１が形成してある。
【００５２】
（実施例７）  図１６および図１７はドアストッパーの一部を変更した実施例７を示す。そこでは、実施例６と同様に、木工品からなる化粧キャップ５の装着穴２７の中心位置を緩衝体２８の接着面から遠ざかる側へ偏心させて、緩衝体２８の接着面と装着穴２７の間に木質の壁４２を形成するようにした。また、外装体４は有底筒状に形成するが、筒壁の外周面の８か所に縦長の係合リブ４５を一定間隔おきに設けて、各リブ４５の部分円弧状の係合面４４を装着穴２７に係合するようにした。係合リブ４５の断面はカクテルグラス状に形成して、より小さな力で係合リブ４５が弾性変形できるようにした。
【００５３】
上記のように、８個の係合リブ４５で化粧キャップ５を受け止めると、緩衝体２８以外の化粧キャップ５の周面に衝撃力が作用した場合でも、複数の係合リブ４５が弾性変形して衝撃力を効果的に緩和吸収できる。また、化粧キャップ５を着脱する場合には、係合リブ４５が弾性変形して、リブ体２２の外方への弾性変形を吸収できるので、ストッパー本体３のボス体２に対する着脱を容易に行える。さらに、木工品からなる化粧キャップ５が経年変化で収縮変形した場合でも、係合リブ４５が弾性変形することで収縮変形を吸収できるので、化粧キャップ５が割れるのを回避できる。
【００５４】
（参考例１）  図１８および図１９はドアストッパーの一部を変更した参考例１を示す。そこでは、化粧キャップ５を省略して、ストッパー本体３をゴム成形品からなる直方体状の外装体４のみで構成して、外装体４の筒壁が緩衝体２８を兼ねるようにした。また、外装体４をボス体２に装着した状態において、ボス体２の上面と外装体４の上壁の間に隙間Ｅ２が形成されるようにした。フランジ壁２４は省略して、ストッパー本体３の外観をシンプルなものとした。
【００５５】
以上のように外装体４のみでストッパー本体３を構成すると、化粧キャップ５を省略した分だけドアストッパーのコストを削減できる。また、ドアパネルＰの衝撃を、ボス体２でバックアップされた外装体４の筒壁で直接的に受止めて、筒壁が弾性変形することでドアパネルＰの衝突衝撃を吸収できる。従って先に説明した各実施例と同様に、ドアパネルＰがドアストッパーに衝突しても大きな衝突音が発生することはなく、ドアパネルＰまたはドアストッパーが傷むこともない。また、金属製のボス体２やベース座７の外面全体が外装体４で覆われるので、誤って外装体４に蹴躓くことがあったとしても、その筒壁が弾性変形して衝撃を緩和できるので安全性を向上できる。
【００５６】
ボス体２の上面と外装体４の上壁の間に隙間Ｅ２を設けるので、誤って外装体４の上壁を踏付けた場合でも、外装体４の上壁が弾性変形して衝撃を緩和できる。外装体４で構成したストッパー本体３は、外装体４をボス体２に直接着脱すればよいので、化粧キャップ５を備えたストッパー本体３に比べて、外装体４の着脱をより簡便に行える。なお、ゴム成形品からなる外装体４は、４ないし６種のカラーバリエーションが用意してあるので、複数個の外装体４を購入しておくと、季節の変化や屋内の調度の変更等に応じて、ストッパー本体３を自由に交換できる。
【００５７】
（参考例２）  図２０および図２１はドアストッパーの一部を変更した参考例２を示す。そこでは、化粧キャップ５を省略して、ストッパー本体３をゴム成形品からなる円筒状の外装体４のみで構成して、外装体４の筒壁が緩衝体２８を兼ねるようにした。図示していないが、この参考例においても、ボス体２の上面と外装体４の上壁の間に隙間Ｅ２を設けるようにした。フランジ壁２４は省略して、ストッパー本体３の外観をシンプルなものとした。
【００５８】
以上の各実施例から理解できるように、ストッパー本体３の外観形状は任意の形状に形成することができ、ねじベース１およびボス体２は全てのドアストッパーに共通して使用することができる。また、床面に固定したベース座７・３６でストッパー本体３の設置姿勢を特定するので、ストッパー本体３の外観形状の違いとは無関係にドアストッパーを常に好適な姿勢で床面に固定できる。また、外装体４および化粧キャップ５の形成素材を、ゴム成形品、木工品、プラスチック成型品で形成し、あるいは、カラーバリエーションを多種類用意することにより、ドアストッパーを多様化して興趣に富む商品シリーズを展開することができる。外装体４の外面形状はスプライン軸状に形成することができ、その場合の係合面４４の数は４ないし８個とすることができる。
【００５９】
上記の実施例ではリブ体２２を断続的に設けたが、リブ体２２は周回状のリブで形成してあってもよい。外装体４および緩衝体２８は、天然ゴムや合成ゴムなどのエラストマーで形成してあればよい。外装体４は有底筒状である必要はなく、上下面が開口する筒体で形成してあってもよい。その場合には、筒壁の上端にフランジ壁２４を張出し形成して、化粧キャップ５に対する接着面積を大きくするとよい。ボス体２は丸軸状に形成する以外に、多角軸状に形成してその上下中途部に係合溝１６が丸軸状に形成してあってもよい。
【００６０】
緩衝体２８はリング状あるいは丸筒状に形成して、円筒状に形成した化粧キャップ５の周面に装着してあってもよい。化粧キャップ５に傾倒自在なリングやフックを設け、ドアパネルＰの対応する位置に掛止金具を固定しておくと、ストッパー本体３で受止めたドアパネルＰの掛止金具にリングやフックを係止して、ドアパネルＰを開放位置に位置保持することができる。ボス体２とねじ軸８は、メートルねじやインチねじなどのねじ規格の違いに応じて用意しておくことができる。また、ねじ穴１５のねじ規格およびねじサイズが異なるボス体２を複数種用意しておくことにより、既設のアンカーボルトを利用してボス体２を床面に固定することができる。木質系の床面に適用されるドアストッパーの場合には、ボス体２と一体に設けたねじ軸８を、ベース座７に形成したねじ穴１５にねじ込んでねじベース１に固定してもよい。ボス体２の周面に、係合溝１６の換わりに係合リブ（ボス側係合部）を周回状に形成しておき、外装体４の装着穴２１の内面に、係合リブと係合する係合凹部（外装体側係合部）を形成しておくことができる。
【符号の説明】
【００６１】
１  ねじベース
２  ボス体
３  ストッパー本体
４  外装体
５  化粧キャップ
７  ベース座
８  ねじ軸
１５  ねじ穴
１６  係合溝
１８  上軸部
１９  下軸部
２１  装着穴
２２  リブ体
２３  位置決め穴
２４  フランジ壁
２７  装着穴
２８  緩衝体
３５  アンカーボルト
３６  ベース座
【図１】
0006506633.tif 000002
【図２】
0006506633.tif 000003
【図３】
0006506633.tif 000004
【図４】
0006506633.tif 000005
【図５】
0006506633.tif 000006
【図６】
0006506633.tif 000007
【図７】
0006506633.tif 000008
【図８】
0006506633.tif 000009
【図９】
0006506633.tif 000010
【図１０】
0006506633.tif 000011
【図１１】
0006506633.tif 000012
【図１２】
0006506633.tif 000013
【図１３】
0006506633.tif 000014
【図１４】
0006506633.tif 000015
【図１５】
0006506633.tif 000016
【図１６】
0006506633.tif 000017
【図１７】
0006506633.tif 000018
【図１８】
0006506633.tif 000019
【図１９】
0006506633.tif 000020
【図２０】
0006506633.tif 000021
【図２１】
0006506633.tif 000022